(57)【要約】【課題】組立前の状態で現場に搬入して、現場で簡単に組み立てられるようにし、部品の紛失も防止できるようにする。【解決手段】垂直枠材１と水平枠材２とを結合して組み立てるドア枠において、垂直枠材１の端部に取り付けた受座金具４に、上下方向に切れ込む切欠部４ａを設け、水平枠材２の端部に取り付けたジョイント金具５に、結合ボルト６を途中までねじ込んで、結合ボルト６の頭部を左右方向に突出させておき、結合ボルト６の軸部を受座金具４の切欠部４ａに引っ掛け、結合ボルト６を締め付けることにより、垂直枠材１と水平枠材２とを結合状態で固定する。垂直枠材１と水平枠材２とを結合する前の分解状態で現場に搬入すると、輸送時にトラックの荷台に占めるスペースを最小限に抑制でき、梱包作業も容易となり、部品の紛失も防止できる。【選択図】図４
2010116684.tif 000002
【特許請求の範囲】
【請求項１】
垂直枠材(1)と水平枠材(2)とを結合して組み立てるドア枠において、垂直枠材(1)の端部に取り付けた受座金具(4)に、上下方向に切れ込む切欠部(4a)を設け、水平枠材(2)の端部に取り付けたジョイント金具(5)に、結合ボルト(6)を途中までねじ込んで、結合ボルト(6)の頭部を左右方向に突出させておき、結合ボルト(6)の軸部を受座金具(4)の切欠部(4a)に引っ掛け、結合ボルト(6)を締め付けることにより、垂直枠材(1)と水平枠材(2)とを結合状態で固定することを特徴とするドア枠。
【請求項２】
請求項１に記載のドア枠において、建物下地枠に取り付けるための取付金具(23)は、垂直枠材(1)又は水平枠材(2)に固定される基板(23a)に、支軸(23c)を介して取付板(23b)を起伏自在に設けたものとし、取付板(23b)を起立させて、対向配置した取付金具(23)の取付板(23b)で建物下地枠を挟持するようにしたことを特徴とするドア枠。
【発明の詳細な説明】
【技術分野】
【０００１】
この発明は、垂直枠材と水平枠材とを結合して建物下地枠に取り付けるドア枠に関するものである。
【背景技術】
【０００２】
従来、下記特許文献１には、図７に示すように、垂直枠材５１と水平枠材５２とから成り、垂直枠材５１に受座金具５３を、水平枠材５２にジョイント金具５４をそれぞれ内装し、受座金具５３及び垂直枠材５１に連通する貫穴５５，５６を、ジョイント金具５４にねじ穴５７をそれぞれ設け、貫穴５５，５６を介してねじ穴５７に結合ボルト５８をねじ込むことにより、垂直枠材５１と水平枠材５２とを結合するドア枠が記載されている。
【０００３】
垂直枠材５１と水平枠材５２とは、工場等で予め結合した組立状態で現場に搬入され、建物の開口部を構成する建物下地枠に取り付けられる。
【０００４】
【特許文献１】特許第３２９０１４８号公報（段落００１５、図５）
【発明の開示】
【発明が解決しようとする課題】
【０００５】
しかしながら、ドア枠を組立状態で現場へ輸送すると、トラックの荷台において大きなスペースを占有することとなり、非効率であるだけでなく、梱包作業に手間がかかり、運搬もしにくいという問題がある。
【０００６】
その対策として、組立前の状態で上記ドア枠を現場に搬入し、現場で垂直枠材と水平枠材とを結合する方法を採用した場合、垂直枠材及び受座金具の貫穴と、水平枠材のねじ穴とを一致させて結合ボルトをねじ込む作業が難しく、また、輸送途中や組立作業時に結合ボルトや受座金具等の部品を紛失してしまうおそれもある。
【０００７】
そこで、この発明は、組立前の状態で現場に搬入して、現場で簡単に組み立てられるようにし、部品の紛失も防止できるようにすることを課題とする。
【課題を解決するための手段】
【０００８】
上記課題を解決するため、この発明は、垂直枠材と水平枠材とを結合して組み立てるドア枠において、垂直枠材の端部に取り付けた受座金具に、上下方向に切れ込む切欠部を設け、水平枠材の端部に取り付けたジョイント金具に、結合ボルトを途中までねじ込んで、結合ボルトの頭部を左右方向に突出させておき、結合ボルトの軸部を受座金具の切欠部に引っ掛け、結合ボルトを締め付けることにより、垂直枠材と水平枠材とを結合状態で固定することとしたのである。
【０００９】
また、建物下地枠に取り付けるための取付金具は、垂直枠材又は水平枠材に固定される基板に、支軸を介して取付板を起伏自在に設けたものとし、取付板を起立させて、対向配置した取付金具の取付板で建物下地枠を挟持するようにしたのである。
【発明の効果】
【００１０】
この発明に係るドア枠では、工場等で垂直枠材に受座金具を取り付けると共に、水平枠材に取り付けたジョイント金具に結合ボルトを途中までねじ込んでおき、垂直枠材と水平枠材とを結合する前の分解状態で現場に搬入すると、輸送時にトラックの荷台に占めるスペースを最小限に抑制でき、梱包作業も容易となり、部品の紛失も防止できる。
【００１１】
また、輸送に際し、取付金具の取付板を倒しておけば、取付板が梱包やトラックへの積載作業等の障害となったり、他物に当たって変形するような事態の発生が防止される。
【００１２】
そして、現場では、結合ボルトを受座金具の切欠部に引っ掛けて締め付けるだけで、垂直枠材と水平枠材とを簡単に結合して、組み立てることができ、取付板を起立させて、建物下地枠に固定することができる。
【発明を実施するための最良の形態】
【００１３】
以下、この発明の実施形態を添付図面に基づいて説明する。
【００１４】
図１に示すように、このドア枠は、両側の垂直枠材１と上側の水平枠材２とを結合して組み立てた状態で、建物下地枠２０を構成する両側の下地垂直枠２１と上側の下地水平枠２２に取付金具２３により取り付けて、床に固定した下側の水平枠材３と共にドアの周縁部を受け止めるようにしたものである。
【００１５】
垂直枠材１及び水平枠材２は、図２及び図３に示すように、帯状鋼板を曲げ加工した軽量形鋼状のものであって、内面側にドア受止用の突条部１１を設け、外面側に、建物下地枠２０に嵌合する凹溝部１２を設けた形状とされている。凹溝部１２は、両側壁部から階段状に折り曲げてフランジが対向するように形成されている。
【００１６】
取付金具２３は、基板２３ａに取付板２３ｂを支軸２３ｃを介して起伏自在に設けたものであり、取付板２３ｂが互いに逆向きとなるように２個１組として、基板２３ａがリベット２４で垂直枠材１及び水平枠材２に固定されている。取付板２３ｂは、倒伏状態で凹溝部１２に没入し、起立状態で凹溝部１２から外側へ突出するようになっている。
【００１７】
そして、図２に示すように、垂直枠材１の上端部には、端面側部の隙間を覆う端隠し材１３を嵌めて、リベット１４により垂直枠材１に固定する。この端隠し材１３は、垂直枠材１及び水平枠材２と同じ板金製として、外見の色調や質感を示すシート柄を揃えているが、シート柄にこだわらなければ、樹脂キャップを嵌めるようにしてもよい。
【００１８】
また、垂直枠材１の上端部には、端面から矩形板状の受座金具４を内装して、リベット１５により固定する。この受座金具４には、上辺の２箇所に切欠部４ａが設けられ、切欠部４ａは、垂直枠材１の上端に形成された切欠部１ａに一致する。
【００１９】
一方、図３に示すように、水平枠材２の両端部には、端面からジョイント金具５を内装して、リベット１６により固定する。ジョイント金具５には、２個の突片に設けた貫穴５ａを介して、その基端側に設けたねじ穴５ｂに結合ボルト６を途中までねじ込み、結合ボルト６の頭部を水平枠材２の端面から突出させておき、抜け止めのため、結合ボルト６のねじ部分の先端部を潰しておく。
【００２０】
上記のような取付作業は、工場での製造時に予め行なっておき、このドア枠は、垂直枠材１と水平枠材２とを結合する前の分解状態で現場へ輸送する。これにより、トラックの荷台に占めるスペースを最小限に抑制することができ、梱包作業も容易となり、受座金具４やジョイント金具５、結合ボルト６等の部品が垂直枠材１及び水平枠材２と一体化されているので、これらの部品の紛失も防止できる。
【００２１】
また、図２及び図３に実線で示すように、取付金具２３の取付板２３ｂを倒しておけば、輸送に際し、取付板２３ｂが梱包やトラックへの積載作業等の障害となったり、他物に当たって変形するような事態の発生が防止される。
【００２２】
そして、現場では、図４及び図５に示すように、垂直枠材１の上方から水平枠材２を直角をなすように接近させ、結合ボルト６の軸部を受座金具４の切欠部４ａ及び垂直枠材１の切欠部１ａに引っ掛けて、結合ボルト６を締め付けるだけで、垂直枠材１と水平枠材２とを簡単に結合して、組み立てることができる。
【００２３】
この組立状態において、結合ボルト６の皿状の頭部が切欠部４ａの底部に設けた皿モミ部に係合し、切欠部４ａから上方への結合ボルト６の抜け出しが防止されて、垂直枠材１と水平枠材２とが結合され、受座金具４及びジョイント金具５を介して、両側の垂直枠材１により上側の水平枠材２の荷重が支持される。
【００２４】
このように組み立てたドア枠を、図１に示すように、建物下地枠２０に取り付ける際には、図６において、上側の下地水平枠２２について例示するように、取付金具２３の取付板２３ｂを起こして、対向する取付板２３ｂの間に建物下地枠２０を挟み込み、釘２５を取付板２３ｂに設けた貫穴を介して建物下地枠２０に打ち込めばよい。
【００２５】
なお、上記実施形態では、垂直枠材１に受座金具４の切欠部４ａと一致する切欠部１ａを設けたが、垂直枠材１の内面側端縁を受座金具４の切欠部４ａに干渉しないようにしておけば、垂直枠材１に切欠部１ａを設ける必要はない。
【００２６】
また、両側の垂直枠材１と上側の水平枠材２との結合部分について示したが、両側の垂直枠材１と下側の水平枠材３とをこのような構造により結合するようにしてもよい。
【図面の簡単な説明】
【００２７】
【図１】この発明に係るドア枠の建物下地枠への取付状態を示す正面図
【図２】（Ａ）同上の垂直枠材と付属部品の分離状態を示す斜視図、（Ｂ）同上の取付状態を示す斜視図
【図３】（Ａ）同上の水平枠材と付属部品の分離状態を示す斜視図、（Ｂ）同上の取付状態を示す斜視図
【図４】同上のドア枠の組立過程を示す斜視図
【図５】同上の垂直枠材と水平枠材の結合状態を示す縦断正面図
【図６】同上の上部側面図
【図７】従来のドア枠の組立過程を示す斜視図
【符号の説明】
【００２８】
１  垂直枠材
１ａ  切欠部
２，３  水平枠材
４  受座金具
４ａ  切欠部
５  ジョイント金具
５ａ  貫穴
５ｂ  ねじ穴
６  結合ボルト
１１  突条部
１２  凹溝部
１３  端隠し材
１４，１５，１６  リベット
２０  建物下地枠
２１  下地垂直枠
２２  下地水平枠
２３  取付金具
２３ａ  基板
２３ｂ  取付板
２３ｃ  支軸
２４  リベット
２５  釘
【図１】
2010116684.tif 000003
【図２】
2010116684.tif 000004
【図３】
2010116684.tif 000005
【図４】
2010116684.tif 000006
【図５】
2010116684.tif 000007
【図６】
2010116684.tif 000008
【図７】
2010116684.tif 000009